(57)【要約】【課題】小規模のガーデニングなどで使用する際に、掃除のための、熊手、箒、塵取り、竹箒などの複数の機能を併有し、よって、収納場所が小さくて済み、使用の際にも、１つの用具を使用すれば済む、掃除用具を提供する。【解決手段】細く直線的な形状を有し、多数が並列に配置される細材３を、糸材７によって、これら細材群を柔軟に巻ける状態で編む。編まれ平面的になった細材群の少なくとも一方の面に、細材３の長手方向へ細長く、ブラシ９を配置する。このブラシ９は、細材群の面に直角に延びるブラシ毛群１１を有する。細材群の長手方向の端辺は、波形にカットされる。【選択図】図１
2015039582.tif 000002
【特許請求の範囲】
【請求項１】
細く直線的な形状を有し、多数が並列に配置される細材と、これら細材群を柔軟に巻ける状態で編む糸材と、この編まれ平面的になった細材群の少なくとも一方の面に、前記細材の長手方向へ細長く配置されるブラシと、このブラシを構成し前記面に直角に延びるブラシ毛群と、前記平面的になった細材群の、前記細材の長手方向の端辺を、波形にカットしたカット部と、を有することを特徴とする掃除用具。
【請求項２】
前記細材は、竹材であり、前記ブラシは、前記面に両面テープで貼付けて設けられたものであり、前記カット部は、Ｗ字形状を有することを特徴とする請求項１に記載の掃除用具。 
【発明の詳細な説明】
【技術分野】
【０００１】
この発明は、小規模のガーデニングなどで使用する掃除用具の構造に関する。
【背景技術】
【０００２】
通常のガーデニングでは、落ち葉や小枝の掃除は、一般的にはまず、熊手で落ち葉や小枝を他の植物や石の間などから掻き出し、次に、箒で集め、塵取りですくってゴミ袋へ入れる。また、熊手と箒を兼ねて、竹箒を使用することもある。
なお、下記特許文献には、はたきや箒の機能を併有する用具が開示される。
【先行技術文献】
【特許文献】
【０００３】
【特許文献１】特開２０１０−２１４０７１
【発明の概要】
【発明が解決しようとする課題】
【０００４】
しかしながら、一般的なガーデニングの掃除に使用する熊手、箒、塵取り、竹箒などの用具を、小規模のガーデニング、例えばベランダでおこなうガーデニングなどで備えておくことは、用具の収納場所が広く必要であること、使用の際にも、複数の種類の用具を使用しなければならないことなどから、不便である。
【０００５】
この発明は、以上の問題点を解決するために、小規模のガーデニングなどで使用する際に、掃除のための複数の機能を併有し、よって、収納場所が小さくて済み、使用の際にも、１つの用具を使用すれば済む、掃除用具を提供することを目的とする。
【課題を解決するための手段】
【０００６】
以上の課題を解決するために、第一発明は、細く直線的な形状を有し、多数が並列に配置される細材と、これら細材群を柔軟に巻ける状態で編む糸材と、この編まれ平面的になった細材群の少なくとも一方の面に、前記細材の長手方向へ細長く配置されるブラシと、このブラシを構成し前記面に直角に延びるブラシ毛群と、前記平面的になった細材群の、前記細材の長手方向の端辺を、波形にカットしたカット部と、を有することを特徴とする掃除用具である。
【０００７】
第二発明は、さらに、前記細材は、竹材であり、前記ブラシは、前記面に両面テープで貼付けて設けられたものであり、前記カット部は、Ｗ字形状を有することを特徴とする掃除用具である。
【発明の効果】
【０００８】
第一、又は第二発明の掃除用部によれば、たとえば、落ち葉や小枝などの掃除は、まず、掃除用具を巻いて筒状にし、この筒状の側面にブラシを露出させておく。そして、巻かれた状態で、端のカット部を用いて落ち葉や小枝を掻き出す。また、ブラシで落ち葉や小枝を集める。そして、掃除用具を拡げて平面的な状態に戻し、集めた落ち葉や小枝などに被せ、その上から手でひとまとめに巻いてつかみ、持上げて、ゴミ袋へ入れる。
【０００９】
このようにして、カット部が熊手や竹箒の機能を果たし、ブラシが竹箒や箒の機能を果たし、平面的で巻ける機構が塵取りの機能を果たす。
よって、熊手、箒、塵取り、竹箒などの複数の用具を、備えておく必要がなく、用具の収納場所が小さくて済む。また、使用の際にも、１つの用具を使用すればいいので、便利である。
【図面の簡単な説明】
【００１０】
【図１】この発明の一実施形態にかかる掃除用具を示すもので、（Ａ）は全体の平面図、（Ｂ）は（Ａ）のＢ部の拡大図、（Ｃ）は（Ａ）のＣ方向から細材を見た拡大斜視図、（Ｄ）は（Ａ）のＤ方向から細材を見た拡大斜視図、（Ｅ）は（Ａ）のＥ部の拡大図である。
【図２】図１の掃除用具を用いた掃除の手順の一例を示すもので、（Ａ）は、掃除用具を巻いた端のカット部で落ち葉や小枝を、石畳の間から掻き出す様子を示す斜視図、（Ｂ）は、掃除用具を巻いた端のカット部で落ち葉や小枝を、植物の間から掻き出す様子を示す斜視図、（Ｃ）は、掃除用具を巻いた側面に露出するブラシで、落ち葉や小枝を集める様子を示す斜視図、（Ｄ）は、集める様子を（Ｃ）のＤの角度から表した拡大図、（Ｅ）は、掃除用具を拡げて平面的な状態に戻し、集めた落ち葉や小枝などに被せ、その上から手でひとまとめに巻いてつかむ様子を示す図、（Ｆ）は、（Ｅ）の状態から持上げる様子を示す図、（Ｇ）は掃除用具と集めた落ち葉や小枝などの位置関係を示す図である。
【発明を実施するための形態】
【００１１】
この発明の実施形態の掃除用具を、図１，図２に示す。
＜構成＞
すなわち、図１に示すように、掃除用具１の構成は、細く直線的な形状を有する細材３としての竹材５が、多数、並列に配置される（同図（Ａ））。すなわち、竹材５の幅方向に、多数の竹材５が、平面的に配置される。竹材５のうち、両端の２本は、やや大きく幅７ｍｍで厚さ１ｍｍである（同図（Ｃ））。その間の竹材５は、全部で９８本であり、幅２ｍｍで厚さ１ｍｍである（同図（Ｄ））。
【００１２】
これら細材群を、摩擦に強い糸材７により、柔軟に巻ける状態で編む。柔軟にするために、隣り合う竹材５の間隔は、ある程度空けられる。
【００１３】
また、同図（Ｅ）に示すように、糸材７と竹材５は交互に配置されて編まれる。この編む密度は、同図（Ａ）中で右端に示すように、縦方向に区分される領域で異なる。上から順に、領域はａ，ｂ，ｃ，ｄ，ｃ，ａ、ｅ、ａ，ｃ，ｄ，ｃ，ｅ，ａ，ｃの順になる。
領域ａは、縦の寸法が１ｃｍで糸材７は１０本であり、密度が高い。領域ｂは、縦の寸法が３ｃｍで糸材７は１５本であり、密度は中程度である。領域ｃは、糸材７がない領域である。領域ｄは、縦の寸法が４ｃｍで糸材７は２０本であり、密度は中程度である。領域ｅは、縦の寸法が２ｃｍで糸材７は１０本であり、密度は中程度である。
【００１４】
同図（Ｂ）に示すように、糸材７の両端は、掃除用具１の両端に設けられた２本の幅の広い竹材５に形成される孔８に、通され、結ばれて固定される。
この編まれ平面的になった細材群は、図中の縦が２９ｃｍ、横が３０ｃｍである。書道用具の筆巻きにやや似る。
この細材群の一方の面で、幅方向の中央に、ブラシ９が、細材３の長手方向へ細長く配置される。このブラシ９は、細長いベルト状の基材（図示せず）の表面に、直角に延びるブラシ毛群１１が設けられ、裏面に、両面テープ（図示せず）が設けられる。この両面テープが、細材群の幅方向の中央で、複数の竹材５に貼付けられる。このようにして、細材群の記面に直角に延びるブラシ毛群１１を得る。
【００１５】
また、平面的になった細材群は、平面的な形状の内の一方の端辺、すなわち図中の上辺がカットされ、カット部１３を形成する。すなわち、細材３の長手方向に、すなわち図中上下方向に位置する両端辺のうち、一方の端辺（図中の上辺）が、波形にカットされる。この波形は、折れ線で、Ｗ字形状を形成する。波形の高さは２ｃｍであり、この領域には糸材７がない。
【００１６】
＜掃除手順＞
図２に示すように、この掃除用具１による掃除の手順の一例は、以下のようになる。すなわち、同図（Ａ）に示すように、掃除用具１を巻いて、頑丈にし、端のカット部１３で尖った凹凸を作る。細材群からなるこの凹凸を利用して、落ち葉や小枝１５を、たとえば石畳１７の狭い隙間から、容易に、掻き出すことができる。また同図（Ｂ）に示すように、落ち葉や小枝１５を、植物１９の間の狭い空間から、容易に、掻き出すことができる。
【００１７】
次に同図（Ｃ）（Ｄ）に示すように、掃除用具１を巻いた側面に露出するブラシ９で、落ち葉や小枝１５を１箇所に集める。落ち葉や小枝１５のうち、細かなものはブラシ９で移動され、大きなものは巻いた掃除用具１の側面で移動され、集められる。
また、このブラシ９を用いれば、細かな砂、花びら、葉っぱを、広い範囲で集められる。
同図（Ｅ）（Ｆ）に示すように、１箇所に集めた落ち葉や小枝１５は、拡げて平面的な状態に戻した掃除用具１を、上から被せ、さらにその上から手で、丸めるようにして、ひとまとめに巻いてつかむ。さらに、同図（Ｆ）に示すように、つかんだ落ち葉や小枝１５を、そのまま持上げ、ゴミ袋（図示せず）へ入れる。
【００１８】
「実施形態の効果」
このようにして、この掃除用具１のカット部が熊手や竹箒の機能を果たし、狭い隙間や空間から、容易に落ち葉や小枝１５を掻き出す。また、ブラシ９が竹箒や箒の機能を果たし、落ち葉や小枝１５を１箇所に集める。さらに、掃除用具１の平面的で巻ける機構が、落ち葉や小枝１５をひとまとめに巻いて塵取りの機能を果たす。
【００１９】
よって、従来のように、熊手、箒、塵取り、竹箒などの複数の用具を、備えておく必要がない。このため、用具の収納場所が小さくて済む。また、使用の際にも、複数の用具を準備する必要がなく、１つの用具を使用すればいいので、便利である。
また、この掃除用具１は、竹材５が編んで構成され、見た目にも美しい。
さらに、従来は、やや細かな落ち葉や小枝１５を手でゴミ袋へ入れることもあったが、その場合には、手が汚れてしまうものであった。それに対して、この掃除用具１によれば、掃除用具１の上から落ち葉や小枝１５を手でつかむので、手が汚れにくい。
【００２０】
「他の実施形態」
以上の実施形態では、細材３は竹材５ であったが、他の実施形態では、シュロ箒に使用されるシュロ（ヤシ科）の幹の繊維などの他の天然素材や、ポリプロピレンなどのプラスチックを用いたものでもでも良い。
【００２１】
以上の実施形態では、細材群の一方の面に、ブラシ９が配置されるものであったが、他の実施形態では、細材群の両面に設けることも可能である。
以上の実施形態では、カット部１３の波形は、折れ線でＷ字形状を形成するものであったが、他の実施形態では、折れ線ではなく、曲線でも構わない。また、波形は、Ｗ字形状であり、１と１／４波長の長さであったが、他の実施形態では、そのは波長よりも、小さくても良く、大きくても良い。また、波形の高さは２ｃｍであったが、他の実施形態では、それより小さくても、大きくても構わない。
【符号の説明】
【００２２】
１…掃除用具、３…細材、５…竹材、７…糸材、９…ブラシ、１１…ブラシ毛群、１３…カット部。
【図１】
2015039582.tif 000003
【図２】
2015039582.tif 000004